(57)【要約】【課題】従来のようなおおげさな墓地墓石を必要としない、簡便な形で先祖や故人、愛玩用動物を供養し、祭ることのできる墓を提供すること。【解決手段】本発明は、額縁部とその裏面に接続した箱とからなり、該箱は、その内部に仕切板によって遺骨収蔵部と遺品等収納部とを形成したものである、卓上額墓である。また、本発明は、上記の卓上額墓に、遺骨収蔵部に人又は愛玩用動物の遺骨又は遺灰を収蔵し、遺品等収納部に人又は愛玩動物の遺品等を収納し、額縁の表面に記念する文字、模様、絵画又は写真を載せて、この卓上額墓を卓上に設置して祭ることを特徴とする、先祖や故人、愛玩動物の礼拝方法である。【選択図】図１
2012016463.tif 000002
【特許請求の範囲】
【請求項１】
額縁と箱からなり、該箱は、その内部に仕切板によって遺骨収蔵部と小物遺品、資料及びＤＮＡ鑑定試料等の収納部を形成したことを特徴とする、卓上額墓。
【請求項２】
該箱の正面形状、側面形状が台形、正方形、球形、楕円形、ピラミット形状等、いずれかである請求項１記載の卓上額墓。
【請求項３】
請求項１ないし２に記載の卓上額墓に、遺骨収納部に人又は愛玩用動物の遺骨又は遺灰を収蔵し、遺品等収納部に人又は愛玩用動物の遺品等を収納し、額縁部のおもて面に記念する文字、模様、絵画又は写真を表示して、この卓上額墓を卓上に設置して祭ることを特徴とする、先祖や故人、又は愛玩動物の礼拝方法。
【請求項４】
請求項１ないし２に記載の卓上額墓による礼拝方法において、卓上額墓を住宅内の部屋の卓上に設置することを特徴とする、請求項２記載の先祖や故人、愛玩用動物の礼拝方法。
【発明の詳細な説明】
【技術分野】
【０００１】
本発明は、故人の遺骨、遺品及び自分史等を納め、その人の霊を供養し祭るための墓に係わり、卓上に置くことができる額墓に関する。
【背景技術】
【０００２】
近年核家族化が進み、望む墓は個人墓、夫婦墓、親子墓であるが、多くの消費者の要望に応える身近な場所での個人墓が開発されていない。現在の墓制度は墓埋法に基づき承継者を必要とする家墓が主体である。
【０００３】
何故ならば、霊園全体の維持管理に必要な資金を承継者からの年間管理費に依存しているからです。その為に墓地使用者は年間管理費を納める契約をしているのでその義務があり、加えて、墓石が建立されている墓域内墓施設(墓石)は私有物であり管理は使用者自ら直接管理する規定になっていることから、年に何度かは墓掃除をしなければ隣接する墓の使用者及び霊園が荒れている印象を与え迷惑を掛けることとなり、このことも承継者の大きな負担に成っている。
【０００４】
また、永代使用と言うことで何代にも亘って使用してきた墓であっても、現在の承継者が維持管理の為の年間管理費を、例えば３年間滞納して一定の期間を経過すると墓地の使用権利が消滅する契約になっていて、無縁仏化することもあり得ます。自分が始祖になって永代使用分譲と謳っている高額な墓地を購入し、どんな立派な墓石を建立しても、承継者が管理費を３年以上滞納すると使用権利を失い一定期間を経て更地にして返還しなければならない契約になっています。核家族、人口減少時代の現在、永代使用分譲を謳うだけでは問題があり、きちんと説明する責任があります。
【０００５】
核家族時代の承継者がいない人、やがてはいなくなる夫婦、親子の墓として、永代供養墓が案出建立されているが、その墓は最初から合祀又は合葬する方式であり、故人を弔う個の尊厳が無く納得できないばかりか、多くの人を合祀する割には高価である。然し他に方法が無く諦めて永代供養墓に入墓するか、自然葬散骨あるいは樹木葬等の選択をせざるを得ない。更に言えることは永代供養を謳っているのは寺院や霊園が存続する前提で経営する寺院側が言っていることであり、寺院が倒産しない限りにおいて永代と言っているに過ぎない。
【０００６】
故人に対する墓参者が比較的多い期間、せめて７回忌くらいまでは個人墓の対面墓が欲しいと考えるが、永代供養墓以外は承継者を必要とする制度であり実現は難しく、さらにお墓は一旦購入すると、転居に伴い移動させることが容易ではない問題もある。
【０００７】
核家族化が進む中で、家族として共に暮らした故人の遺骨を身近に置いて供養したいという需要並びに要望が多くなって来ている。たとえば、自宅供養を可能とする戒名塔兼用組立簡易墓石が提案されているが（例えば、特許文献１参照）、これは自宅に仏壇があることが当然のように前提となっている。大都市のマンション住民の中には、自宅に仏壇の無い家庭が多く、宗教供養を望まない人達も多いが、そのような人たちのニーズに対応していない。
【０００８】
自宅供養の墓の形態が、従来の墓石や位牌のイメージの強い墓であり、自宅の居間には相応しくないとして、三面写真枠体付き小型墓石が提案されているが（特許文献２参照）、この小型墓石は、格調高い家具調にしたことを強調しているものの、完全には宗教供養から抜け出せていない。家具には見えず、三面写真枠体付き小型墓石は見るからに故人の遺骨が収蔵されていることが感じられ、居間に置くには違和感があり、専用の仏間が必要な小型墓である。
【０００９】
墓所を必要とせず、故人を生存証明できる物証や生涯記録を保存でき、お墓の維持管理も簡単かつ安価である箱形のお墓も提案されているが(例えば、特許文献３参照)、そもそも生存証明できる物証があれば、お墓であると言うことが、一般国民の意識として認識されるか疑問もある。現段階では一般都市民の意識として故人を認識する決め手の第一は遺骨であり、ＤＮＡや生涯記録等は、２次的要素と考えているのが一般的であると思われる。ＤＮＡや生涯記録等は宗教性が無いものの、現在の墓地墓石の代替としてお墓と認識し礼拝の対象としてのお墓にはならない。
【００１０】
この墓を採用した人の大半の遺骨は如何に処置するのであろうか。故人のお墓を必要と考えている人は、遺骨の処置を如何するかが問題なのである。生存証明できる物証によってお墓として参拝するということは、将来は解りませんが現段階では未だ無理である。
【００１１】
核家族、少子高齢化時代を迎え、高齢者夫婦の二人世帯及び伴侶を亡くした一人世帯が激増しており、お墓の基本機能である遺骨収蔵とお参りし易い墓が求められている。特に伴侶を亡くした一人世帯高齢者は日常的に墓に報告し、語りかけ、相談する対象としての墓機能を望んでいる。本発明は、主として一人残された伴侶の望む機能を備えた、話し掛けられる自宅置き卓上額墓を発明したものである。
【先行技術文献】
【特許文献】
【００１２】
【特許文献１】特開２００１−２３４６４７号公報
【特許文献２】特開２００９−７４２６４号公報
【特許文献３】特開２００２−４６４１号公報
【発明の概要】
【発明が解決しようとする課題】
【００１３】
核家族時代を迎えて、従来のお墓制度では対応できない問題点が多くなってきている。例えば、交通至便な場所の墓地の不足から、都市近郊の墓地が非常に高価になってきている。そのために遠隔地に墓地を造成して販売しているが、伴侶を亡くした一人世帯のお歳寄りにとって墓参できない墓に意味が無い。一人世帯のお歳寄りにとって自宅から歩いて行ける距離の墓ならいざ知らず、遠方の墓では納得の行く供養ができない。などといったさまざまな問題が現れている。
【００１４】
本発明は、以上のような現在の墓地墓石制度の問題点を少しでも解決する為になされたものであり、従来のようなおおげさな墓地墓石を必要としない、最も簡便な形で故人を供養し祭ることのできる墓を提供することを目的とするものである。そして、本発明による墓の場合には、取得費用は従来の墓地墓石の１/５〜１/３０、永久に生じる年間管理費は不要であり、墓掃除の負担から開放される簡単な自宅置き卓上額墓を発明したものである。
【課題を解決するための手段】
【００１５】
本発明者は、上記のような課題を解決すべく研究の結果、おおげさな従来の墓地墓石に代わって、基本機能のみで、実質的で単純な遺骨及び遺品を収蔵する箱型額墓であり、仏壇ほどの宗教的な装飾はなく部屋の卓上に置いても額絵又は写真を立掛けている状態であり違和感はない卓上額墓を提供する。
現代のお墓のさまざまな問題点の一つを解決することができ、本発明を完成した。
【００１６】
即ち、本発明は、以下の内容をその要旨とする発明である。
（１）本発明は、遺骨収蔵部と遺品収納部を設けた構造になっている卓上額墓である。
（２）また、本発明は、従来の伝統的な葬儀をして位牌のある場合、その位牌収納部も設けた構造になっている卓上額墓であるが、使用するかどうかは選択の問題である。
（３）また、本発明は卓上額墓の、額の背後の遺骨箱部分に遺骨収納部に故人の遺骨を収蔵し、故人の貴重な遺品を収納、故人の大切な象徴的な書類や映像の情報を記録したフラッシュメモリー等を収納することができる構造になっている。
（４）また、本発明は、高齢者を対象としているからお墓に対するイメージ、意識が切り替えられない年代の一人世帯のお歳寄りが、亡くした伴侶に語りかけながら、花を供え、食べ物や好きだった飲食を供えながら日常の世話をやくことで孤独感を癒す為に、日常生活の中に設置する卓上額墓である。
【発明の効果】
【００１７】
従来型の屋外墓地では広大な用地を必要とし、墓石としても多くの石材を使用して立派で荘厳性をもたらす墓地墓石であるのに対して、本発明の卓上額墓は、実質墓碑となる額縁部分に故人の最も想い出深いスナップ写真又は自画像あるいは絵や書を飾り、勿論墓碑として使用する選択もできます。その額と骨箱を合体し自宅の部屋の卓上に置くに過ぎない。広大な墓地を必要とせず、また立派な墓石も必要としない、従って自然を破壊することもなく、且つ、生前故人が最も望んでいた家族と共に居られ、死んでからの住居も住み慣れた自宅であることに心がやすらぎ、望む自宅で伴侶に見守られて供養して貰える特徴を有する。
【００１８】
誰もがいつかは死を迎えますが、長年共に生活してきて、死んだら人里離れた墓参もままならない山奥の墓に一人埋蔵され、残された伴侶は広い家に一人世帯となり離れ離れに住む不合理をなくし、今まで通り生前の自宅に伴侶とともに居られることを前提にした自宅置き卓上額墓である。この墓を採用することで、陰鬱で無機質な墓石墓地の暗い地下に埋蔵されることが嫌なことが死を恐れることの一つでありその緩和になります。核家族時代には夫婦単位で区切りをつける形にならざるを得ないと思われ、極めて簡単な構造であるが巨大な石材造形物の墓に比較して、どちらが先になるかわからないものの伴侶を供養する心温かいことと、遺骨以外の遺品や自分史等後世に役立つと思える物を収納できる点で充実している。
【００１９】
また、少子化時代であり、いずれ将来は承継者がいなくなる状態になれば、巨大な墓石であっても無縁仏化することとなり巨大な墓石ほど撤去費用がかかり、また、一旦墓にした石材の転用は難しいが、本発明の卓上額墓の採用によりこのような問題が全く発生しない。
【００２０】
本発明の卓上額墓は、伴侶を亡くした高齢一人世帯者が日常生活の中で供養できる期間供養し、供養ができなくなる段階で、承継者がいる夫婦は承継者に引き継ぎ供養して貰う。いなければ近しい縁者に相応の謝礼をしてお願いをする。従来の墓地墓石は年会費やお布施、墓掃除等大変な負担であるが、卓上額墓はほんの僅かな場所が有れば設置可能でありお願いし易い。それも遠慮したい場合は、自分の遺骨分も含めて夫婦一緒に永代供養墓に合祀する様お願いする。夫婦としての墓の区切りを付けることができる。一人合祀は淋しいが夫婦一緒で有ればよしとしなければ成らない。額墓は個人墓、夫婦墓時代の墓として開発したものであるが、限定するものではない。
【図面の簡単な説明】
【００２１】
【図１】本発明の卓上額墓の斜視図である。
【図２】本発明の卓上額墓の正面図、側面図である。
【図３】本発明の卓上額墓の額絵を外した正面図である。
【図４】本発明の卓上額墓の図３骨箱のＡ断面図である。
【図５】本発明の卓上額墓の台形状骨箱の正面図、側面図である。
【図６】本発明の卓上額墓の骨箱の形状を変えた正面図、側面図である。
【図７】本発明の卓上額墓の骨箱の形状を更に変えた正面図、側面図である。
【図８】本発明の卓上額墓の骨箱を遺骨壷被う形状に形成した正面図、側面図である。
【図９】本発明の卓上額墓の骨箱を遺骨壷被う形状に形成し引出しを設けた正面図、側面図である。
【図１０】本発明の卓上額墓の骨箱を遺骨壷被う形状に形成して２段引出しを設けた正面図、側面図である。
【図１１】本発明の卓上額墓の骨箱を遺骨壷被う形状に形成して３段引出しを設けた正面図、側面図である。
【図１２】本発明の卓上額墓の骨箱を遺骨壷被う屋根付き形状に形成して引出しを設けた正面図、側面図である。
【図１３】本発明の卓上額墓の骨箱を遺骨壷被うドーム型屋根付き形状に形成して引出しを設けた正面図、側面図である。
【図１４】本発明の卓上額墓の骨箱の形状を球状に形成し、引き出しを別途設けた正面図、側面図である。
【図１５】本発明の卓上額墓の骨箱の形状を楕円体に形成し引き出しを設けた正面図、側面図である。
【図１６】本発明の卓上額墓の骨箱の形状をピラミット状に形成し引き出しを設けた正面図、側面図である。
【図１７】本発明の卓上額墓の骨箱の形状をピラミット状に形成変形し引き出しを設けた正面図、側面図である。
【発明を実施するための形態】
【００２２】
本発明の卓上額墓を、図１〜図１７に基づいて具体的な実施例によって詳細に説明する。しかし、ここでこれらの図面に基づいて説明する内容は、あくまでも一つの例示であって、この記載によって本発明の内容がなんら限定されるものではない。
【００２３】
本発明の卓上額墓は、図４に示すように遺骨収蔵部８と図３に示すように位牌収納部９その他小物遺品収納部１０−１−１、１０−１−２、資料収納部１０−２−１、１０−２−２、１０−３−１、１０−３−２は額の幅に合わせた４３０ｍｍの箱の幅に骨箱高さ３８０ｍｍ厚さ２６０ｍｍ〜１５０ｍｍの箱１と額縁幅４３０ｍｍ高さ３７５ｍｍ厚さ４２ｍｍの額縁２と骨箱１と額縁２の据付台３厚さ２５ｍｍ長さ４８０ｍｍ幅３８０ｍｍの台板から形成されており、箱１は箱の天板１−１周囲板１−２、１−３、１−４の４面と１−５の仕切り板と１−６下部板によって骨箱は形成され、遺骨入れはこの下部板が蓋になる様に天地ひっくり返して遺骨を入れます。その方が、入れ口が広くなることと、骨壷から順次遺骨を収めますが、骨壷の上部に遺骨の頭部があり、胴体下肢、脚足の順になっておりますから、骨壷上部から順次入れて行き、下部板１-６で蓋をし、ネジで止めて引っ繰り返すと骨壷に入っていた状態、頭部は上になる様に安置できます。
【００２４】
慣習上宗教的葬儀をしたものの、仏壇と墓石の用意ができず、遺骨と位牌がそのままになっている家族の場合に卓上額墓を求めることによって仏壇と墓石が同時に手配できることになります。その場合遺骨と位牌安置場所は１−５の仕切り板で仕切られ図３の１−８、１−１０、１−１１、図４の１−７で形成される囲われた空間に安置できます。宗教供養を望まず位牌がない場合は故人の他の遺品を収納利用できます。この空間は額縁が他の小物遺品、資料等の引出と一緒に蓋の役割を果たします。
【００２５】
また、図３、図４に示すように、位牌収納空間の周囲は小物遺品、故人の資料を保管する収納部を形成している。図３に示す１０−１−１、１０−１−２の収納部は天板１−１、箱周囲板１−３、１−４、図４に示す箱中央部の仕切り板１−５、図３に示す１−９、仕切１−８の枠の中で左右に引き出しを形成している。同様に１０−２−１、１０−２−２の収納部は１−３、１−４、１−８、１−１０、１−１１、１−１２−１、１−１２−２、で形成される枠の中に位牌置き空間を介して左右に引出しを形成している。同様に１０−３−１、１０−３−２の収納部は１−３、１−４、１−５、１−１０、１−１１、１−１２−１、１−１２−２、底板１−７で形成される枠の中に位牌置き空間を介して左右に引き出しが形成されている。それぞれの引き出しに摘み１１が設けてある。
【００２６】
収納部１０−１−１には、デジタル化した故人の経歴、業績等生涯情報や自分史編纂の文字情報、映像情報をフラッシュメモリーの記憶媒体に記録し、収納できる様にしてある。更に将来何らかの事情でＤＮＡ鑑定可能な試料として髪や爪を容器に入れて収納することも可能としてあるが、必ずしなければならないことではなく本人の選択の問題である。
また、故人が生前後世の人達が必要と成ると思われるデータ記録例えばスーパーのチラシ、新聞、雑誌等紙情報媒体の収納部１０−１−２を設けてあり収納して置くことも可能である。収納するかどうかは自由選択である。
【００２７】
収納部１０−２−１、１０−２−２、１０−３−１、１０−３−２には、故人の小物遺品の収納スペースである。収納するかどうかは自由選択である。どの引出しに何をどのように収納するかも選択の問題であり自由に決めて良い。
【００２８】
以上のような遺骨や遺品、時代のデータ資料、ＤＮＡ、フラッシュメモリーなどを収容したこの実施の形態に係わる箱１は、生前本人が何を後世に残すか考えて整理することが可能である。卓上額墓は、墓地墓石と違い購入しても年会費が発生する事は有りません。又、正面の額に入れるのは、絵か写真か書等を自分で決めること、正面の額の左右の面を自分の好きな文字や、模様、印刷物などで装飾することで手作りの個人墓ができます。このような卓上額墓は、高齢者夫婦用に適した発明ですが、当面の承継者が、伴侶のどちらになるか解らないものの、生前二人で相談して死後の住まいをどの様にするか考え仕上げればよい。夫婦のどちらが先に使用する様になるにしても二人の創作墓となります。
【００２９】
従来の墓地墓石では考えられないオリジナルな二人の想い出の自宅置き卓上額墓ができる事となります。生前相談しながら小物遺品を何にするか決める過程があり、どちらが先に亡くなるか別にして、語り掛け、報告、相談できる下地があること、従来の墓地墓石にない墓造りに参画できること、また全く違う機能を付加した墓の発明である。
【００３０】
最近自然葬なる散骨容認派が７４％を超えることは、墓地用地の不足と核家族化の中で確実に承継者の必要な家墓の墓石文化が時代に合わなくなって来ていることを現していると思われる。
【００３１】
この本発明の卓上額墓は、これから相当数にのぼる宗教供養を望まない人達の個人墓を求めていることに応えるための発明であり、経済的で、且つエコ活動に繋がる時代の要請に応える大義名分と同時に、死の尊厳を守り供養ができた後に永代供養墓又は自然葬なる散骨で自然に還すまでの中間的自宅置き供養墓の在り方を提案し個人墓、夫婦墓を望む方々の要望を解決する。但し個人墓は３〜７回忌程度自宅で預かって供養して下さる近しい親戚や友人にお願いして置く必要があります。
【００３２】
以上の説明は主として人が亡くなった場合について記載しているが、人だけでなく、ペットとして可愛がっていた犬や猫などのような愛玩用の動物の遺骨や遺品、記念品などを納めて、供養に供することもできる。
【００３３】
従来の墓地墓石に代わってこのような本発明の卓上額墓を採用することにより、墓地の開発が不要、墓石も不要、自分の住居の部屋の卓上に設置して、従来の墓と仏壇の代替として供養に供することができる。
【００３４】
更に究極の墓として寺院が提案建立している永代供養墓は最初から大勢が入る合祀であり個の尊厳がなく、せめて７回忌位までは個人墓の対面墓が欲しいと考えていたがその実現できなかった。そのことを解決する為の自宅置き卓上額墓は、永代供養墓と組合せることでそのニーズを解決できます。
【００３５】
同様に、自然葬散骨容認派が７４％を超えるが、実際になると散骨の実行数は少ない。やはり亡くなって直ぐの散骨はゆかりの人達の供養の対象がないことの欠点が指摘されていますが、本発明の自宅置き卓上額墓と組合せることで、自然葬、樹木葬、森林葬、ガーデン葬の選択と広範な葬送の選択が可能となります。
【００３６】
本発明の卓上額墓の骨箱の形状は、様々な形に形成可能となります。粉骨を収蔵する場合と、遺骨をそのまま収蔵する場合、更には骨壷をそのまま被い収蔵する等考えられる。その方式により骨箱のデザインは如何様にも形成可能であり、その代表例を図５、図６、図７、図８、図９、図１０、図１１、図１２、図１３、図１４、図１５、図１６、図１７に示す。
【００３７】
特に自宅置き卓上額墓は、屋外と異なり風雨や紫外線、猛暑や厳寒の氷点下の自然に晒されることがないことから、長期に耐える石材に限ることがないので使用材料は木材加工で製作することが可能となります。
【産業上の利用可能性】
【００３８】
本発明の卓上額墓を利用することにより、現在の墓地墓石の様に承継者に対して年間管理費、お布施、墓掃除の負担を掛けることも無く、従来の墓地墓石や室内の納骨檀を利用する場合に比べて、非常に低コストで個人墓を持つことができ、自宅置き卓上額墓は承継者が充分供養を尽くすことができる。従来とは全く異なった発想と形態の墓を提供すること、墓地墓石分野で、今後の利用が促進普及し除除に社会へ浸透する可能性が大である。
【符号の説明】
【００３９】
１．箱
１−１.天板
１−２.背面板
１−３.右側面板
１−４.左側面板
１−５.中央仕切板
１−６.奥下部板
１−７.手前下部板
１−８.引出仕切板
１−９.上部引出中央仕切板
１−１０.位牌置空間右仕切板
１−１１.位牌置空間左仕切板
１−１２−１.引出中央部右引出中央仕切板
１−１２−２.引出中央部左引出中央仕切板
２.額縁
３.ベース板
８.遺骨収蔵部
１０−１−１.上部右引出遺品等収納部
１０−１−２.上部左引出遺品等収納部
１０−２−１.中部右引出遺品等収納部
１０−２−２.中部左引出遺品等収納部
１０−３−１.下部右引出遺品等収納部
１０−３−２.下部左引出遺品等収納部
１１.引出摘
【図１】
2012016463.tif 000003
【図２】
2012016463.tif 000004
【図３】
2012016463.tif 000005
【図４】
2012016463.tif 000006
【図５】
2012016463.tif 000007
【図６】
2012016463.tif 000008
【図７】
2012016463.tif 000009
【図８】
2012016463.tif 000010
【図９】
2012016463.tif 000011
【図１０】
2012016463.tif 000012
【図１１】
2012016463.tif 000013
【図１２】
2012016463.tif 000014
【図１３】
2012016463.tif 000015
【図１４】
2012016463.tif 000016
【図１５】
2012016463.tif 000017
【図１６】
2012016463.tif 000018
【図１７】
2012016463.tif 000019